(57)【特許請求の範囲】
【請求項１】
容器本体（２）と、容器本体（２）の上部開口周縁（５）に剥離可能に貼り合わされていて、外方に張り出る摘み片（１０）を一体に備える蓋シート（３）と、上方に凸となる形状の部分を有していて、外方に張り出る下部周縁（７）を蓋シート（３）に固定してこの蓋シート（３）の上部に取り付けられている変形可能なカバーフィルム（４）とからなる容器であって、
前記カバーフィルム（４）は透明であり、このカバーフィルム（４）の前記凸となる形状の部分と蓋シート（３）との間に収納空間（９）が形成されていて、
蓋シート（３）における収納空間（９）に対応する面部（１１）に、蓋シート（３）の摘み片（１０）側に凸となる引き起こし板部（１４）と摘み片（１０）とは反対側に凸となる落とし込み板部（１５）とが一体とされた板材（１２）が取り付けられ、
蓋シート（３）における前記板材（１２）の落とし込み板部（１５）の近傍に、蓋シート（３）を破断可能にする弱化部（１３）が設けられていて、
前記板材（１２）の引き起こし板部（１４）と落とし込み板部（１５）との境界（１８）の延長線（１８ａ）上に、前記弱化部（１３）の端部（２０）が位置していることを特徴とする包装容器。
【発明の詳細な説明】
【技術分野】
【０００１】
本発明は、蓋シートの上部に収容した収容物を容器本体の収容物に向けて簡単に落とし込みして組み合わせることができるようにした包装容器に関するものである。
【背景技術】
【０００２】
従来、ヨーグルトを収容した商品においては、甘味剤を混ぜて食したいとの嗜好にも応じるために甘味剤を収容した小袋を添えた形態で販売されているものがあり、例えば、特許文献１に示すように、容器本体を閉じる蓋シートにオーバーキャップを被せ付け、その蓋シートとオーバーキャップとの間の空間に甘味剤入り小袋を入れるようにした包装容器が用いられていた。
【先行技術文献】
【特許文献】
【０００３】
【特許文献１】特開２００５−３１３９７２号公報
【発明の概要】
【発明が解決しようとする課題】
【０００４】
近年、ヨーグルト商品においてはシリアルや乾燥レーズンなどの副剤を添えるようにしたものも多く流通するようになってきている。そして、このような商品においても上記包装容器と同様に、カップ状の容器本体にヨーグルトを収容するとともに、蓋シートの上に前記シリアルや乾燥レーズンなどを入れた小袋を添えて、この小袋を覆うようにカバーを容器本体の上部側に被せ付けた形態とされていた。
【０００５】
しかしながら、上記甘味剤の小袋を添えた形態とした商品も、同様に食するに際しては、オーバーキャップと小袋とを一旦取り外して容器本体の蓋シートを剥がし、小袋を破って甘味剤や上記シリアル、乾燥レーズンなどの副剤を容器本体に入れるようにするものであるため、甘味剤、副剤を入れる操作が煩雑になるという問題があり、またオーバーキャップやカバー、小袋の包材自体がごみとなって散逸し易くなるという問題も生じる。
【０００６】
そこで本発明にあっては上記事情に鑑み、蓋シートの上に位置させる収容物を、小袋を破って入れるなどの煩雑な手間を要することなしに容器本体側に入るようにすることを課題とし、蓋シートの上の収容物を容器本体側に入れるに際し、その操作が簡単な包装容器を提供することを目的とするものである。
【課題を解決するための手段】
【０００７】
（請求項１の発明）
本発明は上記課題を考慮してなされたもので、容器本体（２）と、容器本体（２）の上部開口周縁（５）に剥離可能に貼り合わされていて、外方に張り出る摘み片（１０）を一体に備える蓋シート（３）と、上方に凸となる形状の部分を有していて、外方に張り出る下部周縁（７）を蓋シート（３）に固定してこの蓋シート（３）の上部に取り付けられている変形可能なカバーフィルム（４）とからなる容器であって、
前記カバーフィルム（４）は透明であり、このカバーフィルム（４）の前記凸となる形状の部分と蓋シート（３）との間に収納空間（９）が形成されていて、
蓋シート（３）における収納空間（９）に対応する面部（１１）に、蓋シート（３）の摘み片（１０）側に凸となる引き起こし板部（１４）と摘み片（１０）とは反対側に凸となる落とし込み板部（１５）とが一体とされた板材（１２）が取り付けられ、
蓋シート（３）における前記板材（１２）の落とし込み板部（１５）の近傍に、蓋シート（３）を破断可能にする弱化部（１３）が設けられていて、
前記板材（１２）の引き起こし板部（１４）と落とし込み板部（１５）との境界（１８）の延長線（１８ａ）上に、前記弱化部（１３）の端部（２０）が位置していることを特徴とする包装容器を提供して、上記課題を解消するものである。
【発明の効果】
【０００９】
（請求項１の発明の効果）
請求項１に係る発明によれば、摘み片を持った蓋シートの引き上げで板材の引き起こし板部が蓋シートと共に引き起こされるとともに、引き起こし板部のその引き起こしで反対側の落とし込み板部が容器本体側に下がるように回動するようになり、その落とし込み板部の下方への回動で蓋シートの弱化部が破断して開口が得られる。
【００１０】
そして、蓋シートの上の収容物が傾斜した板材に案内されながら蓋シートにできた開口を通って容器本体側に移動するようになる。このように蓋シートの摘み片を持った引き上げという簡単な操作で、蓋シートの上に収容されていた収容物を手間無く容器本体側に入れることができるという優れた効果を奏する。
【００１１】
また、本発明によれば、収容物を通す蓋シートの開口が広くなるともに、蓋シートを引き裂く際の抵抗が小さくなり、蓋シートの引き上げ操作がスムーズに行なえるという効果を奏するものである。
【図面の簡単な説明】
【００１２】
【図１】本発明に係る包装容器の一例を斜め上方から見た状態で示す説明図である。
【図２】一例を蓋シート中心線に沿った方向での断面で示す説明図である。
【図３】一例の蓋シートを上方から見た状態で示す説明図である。
【図４】一例の蓋シートの引き上げを蓋シート中心線に沿った方向での断面で示す説明図である。
【発明を実施するための形態】
【００１３】
つぎに本発明を図１から図４に示す実施の例に基づいて詳細に説明する。図中１は包装容器で、該包装容器１は、図２に示すようにカップ状の容器本体２と、前記容器本体２を閉じる蓋シート３と、前記蓋シート３の上部に取り付けられている柔軟で透明なフィルムから成形されたカバーフィルム４とからなるものである。
【００１４】
（容器本体）
図示されているように容器本体２は上部開口周縁５をフランジ状にして外方に張り出していて、この上部開口周縁５に蓋シート３が剥離可能に貼り合わされ、主たる収容物（例えば、ヨーグルト）６を収容する容器本体２を蓋シート３にて閉じている。
【００１５】
（カバーフィルム）
また、カバーフィルム４は上方に凸となる形状に成形されていて、外方に張り出る下部周縁７を容器本体２の上部開口周縁５に対応する位置関係にして蓋シート３に固定され、蓋シート３とこのカバーフィルム４とで、上記主たる収容物６に組み合せる副剤の収容物（例えば、シリアルや乾燥レーズンなど）８を収容する閉じた収納空間９を形成している。
【００１６】
（蓋シート）
本発明の包装容器１では、蓋シート３を引き上げて容器本体２の上部開口を開く操作をしているときに、蓋シート３の一部が破断して開口を形成し、収納空間９にある副剤である上記収容物８をその破断した部分から容器本体２の収容物６側へ移すことができるようにしている。
【００１７】
上記蓋シート３は外方に張り出る摘み片１０を一体に備えていて、この摘み片１０を持って蓋シート３を上方に引き上げることで容器本体２の上部開口が開くようになる。また、図３に示すように蓋シート３の上方の収納空間９に対応する対応面部１１内には、平板状の板材１２と蓋シート３を破断容易にした弱化部１３が設けられている。
【００１８】
（板材）
板材１２は平面形状を略四角形状にして、摘み片１０側に凸となる略三角形状の引き起こし板部１４と、摘み片１０とは反対側に凸となる略三角形状の落とし込み板部１５とを一体としてなるものである。この実施の例において、蓋シート３での収納空間９に対応する対応面部１１と蓋シート３の容器本体２の上部開口に対応する部分とは同一で重なっている。そのため、板材１２全体は、容器本体２の上面開口の領域内に対応位置するようにも配置される状態となっている。
【００１９】
図３に図示されているように上記摘み片１０の位置と、引き起こし板部１４の摘み片１０側の凸部１６の位置と、落とし込み板部１５の摘み片１０とは反対側の凸部１７の位置とが、蓋シート３の中心線３ａの上に並んでいる。また、引き起こし板部１４の前記凸部１６と落とし込み板部１５の前記凸部１７とは、容器本体２の上部開口の中心線（蓋シート３の中心線３ａと一致）の上にも位置することとなり、前記凸部１６と凸部１７との内、前記凸部１７が対応面部１２の周縁に近接する位置にある。
【００２０】
（弱化部）
上記弱化部１３は、蓋シート３に上方からこの蓋シート３の厚さ方向に貫通しない半切れ加工を施してなるものである。そしてこの弱化部１３も上記対応面部１１の内側にあり、上記凸部１７（落とし込み板部１５）の近傍を通る弧状に設けられている。
【００２１】
板材１２は、引き起こし板部１４と落とし込み板部１５との境界１８の端部１９それぞれが、上記中心線３ａ（板材１２の中心線とも一致する）と直交する方向に沿って張り出ていて、対応面部１１の周縁に近接する位置にある。そして、前記弱化部１３の端部２０は、前記境界１８の延長線１８ａ上に位置し、その境界１８の端部１９と対応面部１１の周縁との間に位置している。
【００２２】
以上のように包装容器１では、蓋シート３の収納空間９に対応する対応面部１１に、引き起こし板部１４と落とし込み板部１５とからなる板材１２が設けられていて、その板部１２での蓋シート３の摘み片１０とは反対側に前記落とし込み板部１５の凸部１７がある。そして前記凸部１７に近接する上記弧状の弱化部１３も対応面部１１の周縁に沿うようにして設けられている。
【００２３】
そのため、包装容器１では、摘み片１０を摘み持って蓋シート３を引き上げる操作を始めれば、板材１２の引き起こし板部１４が上方に向けて起こされる方向に移動しかけることになる。この際、引き起こし板部１４の側方での蓋シート３が容器本体２の上部開口周縁５から引き剥がされる段階が進んでいないことから、前記引き起こし板部１４を引き起こそうとする働きが落とし込み板部１５を下方に向けて回動させようとする働きにもなる。
【００２４】
そして、引き起こし板部１４の側方で、蓋シート３が容器本体２の上部開口周縁５から引き剥がされる段階が進みながら、図４に示すように上記カバーフィルム４の上方に凸となる部分が変形するとともに上記境界１８の位置を中心として落とし込み板部１５が下方に向けて回動する動きをして、その落とし込み板部１５の凸部１７が蓋シート３を下方に向けて押圧する。
【００２５】
上記凸部１７の部分が蓋シート３を押圧することで、弱化部１３が前記凸部１７に対応する部分から破断し始めることとなり、落とし込み板部１５の下方への回動が進むことで弱化部１３の端部２０までに亘って破断が進んで開口が得られる。
【００２６】
このようにして蓋シート３の摘み片１０を持って引き上げるという簡単な操作で、蓋シート３での上記対応面部１１に開口が形成され、また図４に示すように板材１２が傾斜することから、収容物８が容器本体２側に落とし込まれるように移動して容器本体２の収容物６と前記収容物８とを組み合わせることができる。図４において境界１８の延長線１８ａが通る位置を概略的に十字にて示した。
【００２７】
なお、板材１２の境界１８から凸部１７までの寸法（凸部１７から境界１８の位置への垂線として表わすことのできる部分の寸法）や、境界１８から弱化部１３での凸部１７に対する近傍部分までの寸法は、蓋シート３を引き起こしたときに容器本体２の収容物６に凸部１７や弱化部１３の切断縁が接触しないようにした寸法であることが望ましい。
【００２８】
また、実施の例において、収納空間９の底面側の大きさ、即ち蓋シート３の上記対応面部１１を容器本体２の上部開口と同じ大きさとしたが、本発明は実施の例に限定されるものではなく、例えば、対応面部１１を容器本体２の上部開口より小さくすることが可能であり、また、容器本体２の上部開口に対応する領域内で複数の収納空間９を対応位置させ、それぞれに板材１２と弱化部１３を設けるようにすることが可能である。
【００２９】
また、実施の例において、弱化部１３を蓋シート３の上方から入れた半切れ加工によるものとして説明したが、本発明は実施の例に限定されるものではない。例えば、蓋シート３の上方から入れた半切れの位置と蓋シート３の下方から入れた半切れの位置とが僅かにズレる加工によっても、弱化部１３は形成することができるものである。
【００３０】
さらに、上記実施の例において、ヨーグルト（収容物６）にシリアルや乾燥レーズン（収容物８）を組み合わせし易くする包装容器を説明として例示したが、本発明において、容器本体に収める収容物、蓋シート上の収納空間に収める収容物は特に限定されるものではない。
【符号の説明】
【００３１】
１…包装容器
２…容器本体
３…蓋シート
４…カバーフィルム
６，８…収容物
９…収納空間
１０…摘み片
１１…対応面部
１２…板材
１３…弱化部
１４…引き起こし板部
１５…落とし込み板部
１８…境界
１８ａ…境界の延長線
１９…境界の端部
２０…弱化部の端部
【図１】
0006693097.tif 000002
【図２】
0006693097.tif 000003
【図３】
0006693097.tif 000004
【図４】
0006693097.tif 000005